(57)【要約】【課題】元の入力画像データに比べて解像度の劣化が少ない電子ズーム画像を表示する。【解決手段】画像表示装置１００は、ビデオ信号としての第１の信号と、ビデオ信号ではない画像データとしての第２の信号とを入力可能である。画像表示装置は、第１の信号に対して電子ズーム処理を行い、該電子ズーム処理がなされた所定の解像度を有するビデオ信号を出力する第１の電子ズーム処理部２と、第２の信号をビデオ信号に変換するビデオ変換部１０と、該ビデオ変換部からのビデオ信号に対して電子ズーム処理を行い、該電子ズーム処理がなされた所定の解像度を有するビデオ信号を出力する第２の電子ズーム処理部１１と、第１の電子ズーム処理部から出力された所定の解像度を有するビデオ信号に応じた画像を表示する表示部５とを有する。第２の電子ズーム処理部から出力された所定の解像度を有するビデオ信号は、第１の電子ズーム処理部を通過して表示部に出力される。【選択図】図１
2010118863.tif 000002
【特許請求の範囲】
【請求項１】
ビデオ信号としての第１の信号と、ビデオ信号ではない画像データとしての第２の信号とを入力可能な画像表示装置であって、
前記第１の信号に対して電子ズーム処理を行い、該電子ズーム処理がなされた所定の解像度を有するビデオ信号を出力する第１の電子ズーム処理部と、
前記第２の信号をビデオ信号に変換するビデオ変換部と、
該ビデオ変換部からのビデオ信号に対して電子ズーム処理を行い、該電子ズーム処理がなされた前記所定の解像度を有するビデオ信号を出力する第２の電子ズーム処理部と、
前記第１の電子ズーム処理部から出力された前記所定の解像度を有するビデオ信号に応じた画像を表示する表示部とを有し、
前記第２の電子ズーム処理部から出力された前記所定の解像度を有するビデオ信号は、前記第１の電子ズーム処理部を通過して前記表示部に出力されることを特徴とする画像表示装置。
【請求項２】
前記ビデオ変換部から前記第２の電子ズーム処理部に入力されるビデオ信号は、前記第１の信号としてのビデオ信号よりも大きい解像度を有することを特徴とする請求項１に記載の画像表示装置。
【請求項３】
前記第２の信号は、圧縮された画像データであり、
前記ビデオ変換部は、該圧縮された画像データを伸張してビデオ信号に変換することを特徴とする請求項１又は２に記載の画像表示装置。
【請求項４】
前記電子ズーム処理は、オーバースキャン処理、及びアスペクト変換処理のうち少なくとも１つを含むことを特徴とする請求項１から３のいずれか１つに記載の画像表示装置。
【請求項５】
前記表示部に表示された画像を被投射面に投射する投射光学系を有することを特徴とする請求項１から４のいずれか１つに記載の画像表示装置。
【請求項６】
ビデオ信号としての第１の信号と、
ビデオ信号ではない画像データをビデオ信号に変換するビデオ変換部、及び該ビデオ変換部からのビデオ信号に対して電子ズーム処理を行う第２の電子ズーム処理部を有する画像入力装置から出力された、前記電子ズーム処理がなされた所定の解像度を有するビデオ信号としての第３の信号とを入力可能な画像表示装置であって、
前記第１の信号に対して電子ズーム処理を行い、該電子ズーム処理がなされた前記所定の解像度を有するビデオ信号を出力する第１の電子ズーム処理部と、
該第１の電子ズーム処理部から出力された前記所定の解像度を有するビデオ信号に応じた画像を表示する表示部とを有し、
前記第３の信号は、前記第１の電子ズーム処理部を通過して前記表示部に出力されることを特徴とする画像表示装置。
【請求項７】
請求項６に記載の画像表示装置に信号を出力する画像入力装置であって、
ビデオ信号ではない画像データをビデオ信号に変換するビデオ変換部と、
該ビデオ変換部からのビデオ信号に対して電子ズーム処理を行う第２の電子ズーム処理部とを有し、
前記電子ズーム処理がなされた前記所定の解像度を有するビデオ信号としての前記第３の信号を前記画像表示装置に出力することを特徴とする画像入力装置。
【発明の詳細な説明】
【技術分野】
【０００１】
本発明は、プロジェクタ、テレビ、モニタ等の画像表示装置に関する。
【背景技術】
【０００２】
プロジェクタ等の画像表示装置には、パーソナルコンピュータや各種ビデオ機器から出力される様々な解像度（ＸＧＡ、ＳＸＧＡ、ＵＸＧＡ、ＮＴＳＣ、ＰＡＬ、ハイビジョン信号等）を持つビデオ信号の入力が可能である。画像表示装置は、入力されたビデオ信号を、装置内の表示部（ＬＣＤ等）に表示可能な固有の解像度に変換して表示する。
【０００３】
また、画像表示装置は、電子ズーム処理（部分的な拡大〔引き延ばし〕処理や表示アスペクト変換処理やオーバースキャン表示処理等を含む）を行う機能を有する。
【０００４】
さらに、画像表示装置には、デジタルカメラやビデオカメラ等の撮像装置により生成された画像データ（ファイルデータ）を入力可能なものもある。このような画像表示装置では、入力された画像データを装置内部でビデオ信号に変換し、該ビデオ信号を表示部に供給することで、入力画像データに対応する画像を表示する。
【０００５】
入力画像データが、ＪＰＥＧ形式やＭＰＥＧ形式等の圧縮画像データである場合には、該圧縮画像データを装置内部で伸張（解凍）した上でビデオ信号に変換し、該ビデオ信号の解像度を表示部の表示解像度に合わせて変換する。つまり、伸張後の画像データ（ビデオ信号）が高解像度（例えば、ＱＸＧＡ）を有する場合でも、表示部に表示するために、該表示部の表示解像度であるＸＧＡ等の低い解像度に変換される。
【０００６】
そして、このような場合に電子ズーム処理を行う対象は、表示部の表示解像度に対応した低い解像度のビデオ信号である。このため、電子ズーム処理を行うと、元の高解像度の画像に比べてきわめて低い解像度の電子ズーム画像しか表示することができず、元の高解像度の画像データを十分に活かすことができない。
【０００７】
特許文献１にて開示された画像表示装置では、マルチスクリーン表示を行う際に、互いに解像度が異なる複数の入力信号を、第１の解像度変換部で互いに同じ解像度（固定の低解像度）を持つ信号に変換する。その後、第２の解像度変換部で表示部の表示解像度に合わせて各入力信号の解像度変換を行う。
【特許文献１】特開２００６−３０３６２８号公報
【発明の開示】
【発明が解決しようとする課題】
【０００８】
しかしながら、特許文献１にて開示された画像表示装置では、電子ズーム処理による解像度の劣化を抑えることができない。これは、電子ズーム処理の対象が、第１の解像度変換部で固定の低い解像度に変換されたビデオ信号であるためである。
【０００９】
本発明は、元の入力画像データに比べて解像度の劣化が少ない電子ズーム画像を表示することが可能な画像表示装置を提供する。
【課題を解決するための手段】
【００１０】
本発明の一側面としての画像表示装置（第１の画像表示装置）は、ビデオ信号としての第１の信号と、ビデオ信号ではない画像データとしての第２の信号とを入力可能である。該画像表示装置は、第１の信号に対して電子ズーム処理を行い、該電子ズーム処理がなされた所定の解像度を有するビデオ信号を出力する第１の電子ズーム処理部と、第２の信号をビデオ信号に変換するビデオ変換部と、該ビデオ変換部からのビデオ信号に対して電子ズーム処理を行い、該電子ズーム処理がなされた所定の解像度を有するビデオ信号を出力する第２の電子ズーム処理部と、第１の電子ズーム処理部から出力された所定の解像度を有するビデオ信号に応じた画像を表示する表示部とを有する。そして、第２の電子ズーム処理部から出力された所定の解像度を有するビデオ信号は、第１の電子ズーム処理部を通過して表示部に出力されることを特徴とする。
【００１１】
また、本発明の他の一側面としての画像表示装置（第２の画像表示装置）は、ビデオ信号としての第１の信号と、第３の信号とを入力可能である。第３の信号は、ビデオ信号ではない画像データをビデオ信号に変換するビデオ変換部、及び該ビデオ変換部からのビデオ信号に対して電子ズーム処理を行う第２の電子ズーム処理部を有する画像入力装置から出力された、電子ズーム処理がなされた所定の解像度を有するビデオ信号である。該画像表示装置は、第１の信号に対して電子ズーム処理を行い、該電子ズーム処理がなされた所定の解像度を有するビデオ信号を出力する第１の電子ズーム処理部と、該第１の電子ズーム処理部から出力された所定の解像度を有するビデオ信号に応じた画像を表示する表示部とを有する。そして、第３の信号は、第１の電子ズーム処理部を通過して表示部に出力されることを特徴とする。
【００１２】
さらに、本発明の他の一側面としての画像入力装置は、ビデオ信号ではない画像データをビデオ信号に変換するビデオ変換部と、該ビデオ変換部からのビデオ信号に対して電子ズーム処理を行う第２の電子ズーム処理部とを有する。そして、電子ズーム処理がなされた所定の解像度を有するビデオ信号を第３の信号として第２の画像表示装置に出力することを特徴とする。
【発明の効果】
【００１３】
本発明では、画像表示装置に入力されたビデオ信号に対して電子ズーム処理を行う第１の電子ズーム処理部とは別に、画像データから変換されたビデオ信号に対して電子ズーム処理を行う第２の電子ズーム処理部を設けている。そして、第２の電子ズーム処理部からの電子ズーム処理後のビデオ信号を、第１の電子ズーム処理部をそのまま（解像度変換を行うことなく）通過させて表示部に出力する。つまり、画像データから変換されたビデオ信号に対する電子ズーム処理は、表示部への出力を行う第１の電子ズーム処理部よりも前段に設けられた第２の電子ズーム処理部にて行われる。このため、画像データから変換されたビデオ信号に対して第１の電子ズーム処理部で電子ズーム処理を行う場合に比べて、画像データからの解像度の低下が少ない電子ズーム画像を表示することができる。
【発明を実施するための最良の形態】
【００１４】
以下、本発明の好ましい実施例について図面を参照しながら説明する。
【実施例１】
【００１５】
図１には、本発明の実施例１である画像表示装置として液晶プロジェクタの構成を示す。
【００１６】
プロジェクタは、不図示のケーブル等を介してビデオ信号（第１の信号）を入力可能なビデオ信号入力部１と、切替器１８と、第１の解像度変換部（第１の電子ズーム処理部）２と、表示部を構成する画像形成素子（画像変調素子）としての液晶パネル５とを有する。また、プロジェクタは、液晶パネル５を照明する光源ランプ７と、液晶パネル５により変調された光をスクリーン等の被投射面に投射する投射レンズ（投射光学系）６とを有する。
【００１７】
さらにプロジェクタは、ＪＰＥＧ形式やＭＰＥＧ形式等の圧縮画像データ（第２の信号）又は非圧縮の画像データを入力可能な画像データ入力部９を有する。ここにいう画像データは、ビデオ信号としてのフォーマットを持たない（すなわち、ビデオ信号ではない）ファイル形式のデータであり、静止画データ、動画データ及びこれらの合成データを含む。画像データは、ＵＳＢメモリや半導体メモリカード等の記録媒体を介して画像データ入力部９に入力される。
【００１８】
また、プロジェクタは、画像解凍部１０と、第２の解像度変換部（第２の電子ズーム処理部）１１と、制御部１５と、操作部１２と、プログラムメモリ１６とを有する。
【００１９】
パーソナルコンピュータ、ＤＶＤプレーヤ、テレビチューナ等の画像供給装置（図示せず）からビデオ信号入力部１に入力されたアナログ又はデジタルのビデオ信号は、切替器１８に入力され、該切替器１８を介して第１の解像度変換部２に入力される。
【００２０】
第１の解像度変換部２は、入力されたビデオ信号の解像度等のフォーマットを識別し、解像度変換処理やフレームレート変換処理を行い、液晶パネル５の駆動に適した所定の解像度を有する出力ビデオ信号を生成して液晶パネル５に供給する。例えば、画像供給装置からは、ＶＧＡ（６４０ｘ４８０）〜ＵＸＧＡ（１６００ｘ１２００）の様々な解像度を有するビデオ信号が入力される。第１の解像度変換部２は、これら様々な解像度のビデオ信号を、液晶パネル５の表示解像度（所定の解像度）であるＸＧＡ（１０２４ｘ７６８）に一律に変換する。このような処理は、一般に、解像度変換処理と称される。
【００２１】
また、第１の解像度変換部２は、後述する電子ズーム制御部１４からの指令信号に応じて、ビデオ信号の部分拡大（引き延ばし）処理やオーバースキャン処理や表示アスペクト比変換処理等を含む電子ズーム処理を行う。
【００２２】
一般には、部分拡大処理によって表示画面の大きさを変えずに画像の一部領域を引き延ばして表示させることを電子ズームと称するが、ここでは広義の電子ズーム処理として、部分拡大処理だけでなく、オーバースキャン処理や表示アスペクト比変換処理等も含む。      
【００２３】
さらに、第１の解像度変換部２は、入力ビデオ信号に対する回転、移動等の電子シフト処理も行う。このうち回転も、後述するように電子ズーム処理と同等の処理を行う必要があるので、電子ズーム処理の１つに含めることができる。
【００２４】
光源ランプ７からの照明光は、不図示の色分解光学系によってＲ，Ｇ，Ｂの３つの色光に分解される。図には液晶パネル５を１つしか示していないが、実際には、Ｒ，Ｇ，Ｂ用の３つが設けられている。３つの液晶パネル５でそれぞれ変調されたＲ光、Ｇ光及びＢ光は、不図示の色合成光学系によって色合成されて投射レンズ６に入射し、該投射レンズ６によって被投射面に投射される。これにより、被投射面上にカラー画像が表示される。
【００２５】
なお、液晶パネル５は、透過型でも反射型でもよい。また、液晶パネルに代えて、他の画像形成素子（例えば、デジタルマイクロミラーデバイス）を用いてもよい。
【００２６】
制御部１５は、ＣＰＵ、ＲＡＭ、ＲＯＭ等を含むプログラム制御が可能なプロセッサユニットにより構成されている。制御部１５は、プログラムメモリ１６に記憶されたコンピュータプログラムに従って、プロジェクタ全体の制御を司る。
【００２７】
また、制御部１５内の電子ズーム制御部１４は、操作部１２から入力された電子ズーム操作信号（部分拡大処理における拡大倍率や拡大する部分画像領域を指定する信号）に応じて、第１の解像度変換部２におけるビデオ信号の部分拡大処理を制御する。また、電子ズーム制御部１４は、第１の解像度変換部２におけるオーバースキャン処理や表示アスペクト比変換処理等も制御する。
【００２８】
画像解凍部１０は、ＣＰＵ、ＲＡＭ、ＲＯＭ等を含むプログラム制御が可能なプロセッサユニットにより構成されている。画像データ入力部９を通じて入力された画像データが圧縮画像データである場合、画像解凍部１０は、該圧縮画像データを解凍（伸張）して非圧縮画像データを生成する。さらに、本実施例では、画像解凍部１０は、画像データを、該画像データと同じ解像度を有するビデオ信号に変換して、第２の解像度変換部１１に出力するビデオ変換部としての機能も有する。
【００２９】
第２の解像度変換部１１は、基本的に第１の解像度変換部２と同じく、解像度変換処理、フレームレート変換処理、電子ズーム処理及び電子シフト処理を行う機能を有する。ただし、第２の解像度変換部１１に入力されるビデオ信号は、画像解凍部１０によって画像データから変換されたビデオ信号である。電子ズーム制御部１４は、操作部１２から入力された電子ズーム操作信号に応じて、第２の解像度変換部１１におけるビデオ信号の部分拡大処理を制御する。また、電子ズーム制御部１４は、第２の解像度変換部１１におけるオーバースキャン処理や表示アスペクト比変換処理等も制御する。
【００３０】
第２の解像度変換部１１からのビデオ信号は、切替器１８を介して第１の解像度変換部２に入力される。ここで、前述したように、第１の解像度変換部２は、入力されたビデオ信号を液晶パネル５の表示解像度であるＸＧＡ（１０２４ｘ７６８）に一律に変換する。これと同様に、第２の解像度変換部１１も、第１の解像度変換部２に対して出力するビデオ信号を予め液晶パネル５の表示解像度であるＸＧＡに変換する。つまり、第２の解像度変換部１１は、画像データ入力部９を通じて入力された画像データの解像度にかかわらず、ＸＧＡのビデオ信号を出力する。
【００３１】
図４には、操作部１２の例を示す。操作部１２は、プロジェクタの動作を外部からコントロールするための操作パネルやリモートコントローラにより構成される。操作部１２は、ユーザの操作に応じた操作信号を制御部１５に入力する。
【００３２】
図に示す操作部１２には、ユーザに、プロジェクタに入力される信号としてビデオ信号と画像データのいずれかを選択させるための「INPUT」キー（入力切替えキー）が設けられている。また、操作部１２には、部分拡大処理における拡大倍率をユーザに選択させるための「ｚｏｏｍ＋」及び「ｚｏｏｍ−」キーが設けられている。さらに操作部１２には、部分拡大処理において拡大する部分画像領域をユーザに選択させる（部分画像領域を上下左右にシフトさせる）ための「ｕｐ」，「ｄｏｗｎ」，「ｌｅｆｔ」及び「ｒｉｇｈｔ」キーが設けられている（図にはそれぞれの方向を矢印で示す）。
【００３３】
次に、図２を用いて、本実施例のプロジェクタにおける入力された圧縮画像データに対応する画像を投射表示する場合の処理についてを説明する。この処理は、制御部１５が、プログラムメモリ１６に格納されたコンピュータプログラムに従って実行する。
【００３４】
まず、ステップ（以下、Ｓと略記する）３０１において、操作部１２の入力切替えキーが操作されて画像データが選択されると、制御部１５は、切替器１８を制御して、プロジェクタへの信号入力ラインを画像データ入力ライン２Ａ→２Ｂ→２Ｃに切り換える。２Ａは画像データ入力部９から画像解凍部１０への入力ラインを示し、２Ｂは画像解凍部１０から第２の解像度変換部１１への入力ラインを示す。２Ｃは第２の解像度変換部１１から切替器１８への入力ラインを示す。
【００３５】
なお、操作部１２の入力切替えキーが操作されてビデオ信号が選択されると、制御部１５は、切替器１８を制御して、プロジェクタへの信号入力ラインをビデオ信号ライン１Ａに切り替える。１Ａはビデオ信号入力部１から切替器１８への入力ラインを示す。
【００３６】
次に、Ｓ３０２では、画像データ入力部９は、ＵＳＢメモリ等の記録媒体に記録されている圧縮画像データを読み出す。
【００３７】
次に、Ｓ３０３では、制御部１５は、その内部の画像解凍制御部１７により画像解凍部１０を制御して圧縮画像データを解凍して非圧縮画像データを生成する。ここでは、非圧縮画像データが、ＱＸＧＡ（２０４８ｘ１５３６）の解像度を有するビットマップ等のファイル形式のデータであるとする。このＱＸＧＡの非圧縮画像データは、直接プロジェクタで表示することはできない。また、ＱＸＧＡは、そもそも通常のプロジェクタの入力信号として扱えない高解像度である場合が多い。画像解凍部１０は、ＱＸＧＡの非圧縮画像データを同じくＱＸＧＡの解像度を有するビデオ信号に変換する。
【００３８】
Ｓ３０４では、第２の解像度変換部１１は、画像解凍部１０から入力されたＱＸＧＡの解像度を有するビデオ信号を、液晶パネル５の表示解像度であるＸＧＡ（１０２７ｘ７６８）の解像度を有するビデオ信号に変換して出力する。
【００３９】
このように、入力された画像データがＸＧＡよりも高い解像度を有する画像データであっても、必ず第２の解像度変換部１１において、液晶パネル５の表示解像度であるＸＧＡ解像度に変換される。
【００４０】
なお、本実施例では、画像解凍部１０において画像データをビデオ信号に変換し、該ビデオ信号の解像度変換を第２の解像度変換部１１において行う場合について説明する。ただし、画像解凍部１０から第２の解像度変換部１１に画像データを入力し、第２の解像度変換部１１にて画像データの解像度変換を行った後に、該第２の解像度変換部１１において解像度変換後の画像データをビデオ信号に変換してもよい。この場合、第２の解像度変換部１１が、「ビデオ変換部」の機能を持つことになる。
【００４１】
次に、Ｓ３０５では、制御部１５は、第１の解像度変換部２を、解像度変換を行わないモードに設定する。これにより、第２の解像度変換部１１からのビデオ信号は、切替器１８及び第１の解像度変換部２を通過して、ＸＧＡの解像度のまま液晶パネル５に出力される。これにより、ＸＧＡの解像度のビデオ信号に応じた画像が、被投射面に投射表示される。
【００４２】
図３を用いて、本実施例における電子ズーム処理の１つである部分拡大処理について説明する。ここでは、操作部１２を通じて拡大倍率（電子ズーム倍率）が２倍に設定された場合の処理について説明する。この処理も、制御部１５が、プログラムメモリ１６に格納されたコンピュータプログラムに従って実行する。
【００４３】
Ｓ３０１からＳ３０３までの処理は、図２中のＳ３０１からＳ３０３までの処理と同じである。Ｓ３０３において、非圧縮画像データは、ＱＸＧＡ（２０４８ｘ１５３６）の解像度を有するビットマップ等のファイル形式のデータとされ、さらにＱＸＧＡのビデオ信号に変換される。
【００４４】
Ｓ３０８では、制御部１５内の電子ズーム制御部１４は、拡大倍率が２倍であるので、まず第２の解像度変換部１１にて、ＱＸＧＡのビデオ信号のうち縦横それぞれ半分の解像度のＸＧＡ（１０２７ｘ７６８）の部分画像領域を切り出す。
【００４５】
次に、Ｓ３０５では、第２の解像度変換部１１は、該切り出した部分画像領域のビデオ信号を、切替器１８を介して第１の解像度変換部２に出力する。第１の解像度変換部２は、該ビデオ信号を、解像度変換することなくＸＧＡの解像度のビデオ信号のまま液晶パネル５に出力する。これにより、第２の解像度変換部１１にて電子ズーム処理（ここでは、部分拡大処理）がなされた、ＸＧＡの解像度を有するビデオ信号に対応する電子ズーム画像が投射表示される。
【００４６】
このような処理により、高解像度（ＱＸＧＡ）を有する画像データから変換されたビデオ信号（ＱＸＧＡ）に対して第１の解像度変換部１１で電子ズーム処理を行う場合に比べて、該画像データからの解像度の低下が少ない電子ズーム画像を表示することができる。
【００４７】
上述した第２の解像度変換部１１での２倍、３倍及び４倍の電子ズーム処理がなされて表示される電子ズーム画像の非圧縮画像データに対する解像度低下率は、以下のようになる。
【００４８】
非圧縮画像データ（ＱＸＧＡ）の解像度（水平方向）
→（１）電子ズーム処理での切り出し
→（２）電子ズーム処理での液晶パネルの解像度（ＸＧＡ）への変換（引き延ばし）
→電子ズーム画像の非圧縮画像データに対する解像度低下率
２倍の場合：２０４８
→（１）２０４８／２＝１０２４
→（２）１０２４を１０２４に引き延ばし（そのまま）
→１／２
３倍の場合：２０４８
→（１）２０４８／３＝約６８３
→（２）６８３を１０２４に引き延ばし（約１／１．５倍）
→約１／４．５
４倍の場合：２０４８
→（１）２０４８／４＝５１２
→（２）５１２を１０２４に引き延ばし（１／２倍）
→１／８
これに対し、従来の構成では、第１の解像度変換部において非圧縮画像データ（ＱＸＧＡ）からＸＧＡに変換されたビデオ信号に対して電子ズーム処理が実行される。この場合に２倍、３倍及び４倍の電子ズーム処理がなされて表示される電子ズーム画像の非圧縮画像データに対する解像度低下率は、以下のようになる。
【００４９】
２倍の場合：２０４８
→（１）２０４８を１０２４に変換（１／２倍）
→（２）１０２４／２＝５１２
→（３）５１２を１０２４に引き延ばし（１／２倍）
→１／８
３倍の場合：２０４８
→（１）２０４８を１０２４に変換（１／２倍）
→（２）１０２４／３＝約３４１
→（３）３４１を１０２４に引き延ばし（約１／３倍）
→約１／１８
４倍の場合：２０４８
→（１）２０４８を１０２４に変換（１／２倍）
→（２）１０２４／４＝２５６
→（３）２５６を１０２４に引き延ばし（１／４倍）
→１／３２
このように、本実施例によれば、高解像度の画像データに対する電子ズーム処理を第２の解像度変換部１１にて行うことで、該画像データの解像度に対して実際に表示される電子ズーム画像の解像度の低下を少なくすることができる。これにより、高解像度撮像が可能なデジタルカメラによって生成された画像データから得られる電子ズーム画像を高い画質で投射表示することができる。
【００５０】
図５を用いて操作部１２における電子ズーム操作に関わる処理について
説明する。この処理も、制御部１５がプログラムメモリ１６に格納されたコンピュータプログラムに従って実行する。
【００５１】
まず、Ｓ６０１において、操作部１２から「ｚｏｏｍ＋」又は「ｚｏｏｍ−」キーが押されると、電子ズーム制御部１４は、電子ズーム処理を開始する。電子ズーム制御部１４は、「ｚｏｏｍ＋」又は「ｚｏｏｍ−」キーの操作に応じて電子ズーム倍率（拡大倍率）を設定する。
【００５２】
次に、Ｓ６０２では、入力切替部１９は、操作部１２における入力切替えキーによって入力信号として画像データ（第２の信号）とビデオ信号（第１の信号）のうちいずれが選択されているかを判定する。ビデオ信号の場合にはＳ６０５に進み、画像データの場合にはＳ６０３に進む。
【００５３】
Ｓ６０５では、電子ズーム制御部１４は、第１の解像度変換部２に対して、Ｓ６０１にて設定された電子ズーム倍率による電子ズーム処理を指示する。第１の解像度変換部２は、入力されたビデオ信号（第１の信号）に対して、指示された電子ズーム倍率に基づく電子ズーム処理を行う。
【００５４】
そして、Ｓ６０４では、第１の解像度変換部２は、電子ズーム処理がなされて液晶パネル５の表示解像度に変換されたビデオ信号を液晶パネル５に出力する。
【００５５】
一方、Ｓ６０３では、電子ズーム制御部１４は、第２の解像度変換部１１に対して、Ｓ６０１にて設定された電子ズーム倍率による電子ズーム処理を指示する。第２の解像度変換部１１は、画像データ（第２の信号）から変換されて入力されたビデオ信号に対して、図３にて説明したように、指示された電子ズーム倍率に基づく電子ズーム処理を行う。
【００５６】
これまでは、電子ズーム処理の１つとして部分拡大処理について説明したが、前述したように、電子ズーム処理には、オーバースキャン処理や表示アスペクト比変換処理も含まれる。
【００５７】
図６には、オーバースキャン処理の流れを示す。
【００５８】
Ｓ７０１で操作部１２において、「ｍｅｎｕ」キーが操作されると、メニュー画像が液晶パネル５を通じて被投射面に表示される。メニユー画像には、表示アスペクト比切替えタグが含まれ、該表示アスペクト比切替えタグが選択されると、制御部１５にオーバースキャンが指示される。これにより、制御部１５は、オーバースキャン処理を開始する。オーバースキャン処理は、入力された画像（ビデオ信号）のうち中心側の例えば９０％に相当する領域（以下、中心領域という）を、液晶パネル５の全体に表示するものであり、処理内容としては前述した部分拡大処理と基本的に同じである（Ｓ６０２〜Ｓ６０５）。入力された画像のうち１０％に相当する周辺領域が液晶パネル５に表示されない代わりに、中心領域を大きく表示することができる。オーバースキャン処理は、周辺領域に存在するノイズが表示されるのを防ぐ。
【００５９】
図７には、表示アスペクト比変換処理の流れを示す。
【００６０】
Ｓ８０１で操作部１２において、「ａｓｐｅｃｔ」キーが操作されて、表示アスペクト比の切り替え指示がなされると、制御部１５は、該切り替え指示に含まれる指定アスペクト比に応じた表示アスペクト比変換処理を開始する。
【００６１】
表示アスペクト比変換処理について簡単に説明する。入力画像のアスペクト比（縦横比：以下、入力アスペクト比という）には様々な値が存在し、例えば、ハイビジョンでは１６：９であり、ＮＴＳＣでは４：３である。一方、プロジェクタでの表示画像のアスペクト比は、１６：９や４：３を選択することができる。入力アスペクト比と表示アスペクト比が異なると、表示画像に欠けが生じたり表示画像が小さくなったりするので、入力信号の一部（部分画像領域）を切り出して拡大表示する。すなわち、表示アスペクト比変換処理でも、前述した部分拡大処理と基本的に同じ処理を行う（Ｓ６０２〜Ｓ６０５）。
【００６２】
図８には、回転処理の流れを示す。
【００６３】
Ｓ９０１で操作部１２から回転の指示がなされると、制御部１５は、該回転指示に含まれる指定回転角度に応じた回転処理を開始する。回転処理は、表示する画像を９０度だけ右や左に回転させたり、１８０度回転させたりする（上下逆にする）処理である。
【００６４】
回転によって、入力画像の縦方向と横方向で解像度が変化するため、表示画像に欠けが生じたり表示画像が小さくなったりしないように、入力信号の一部（部分画像領域）を切り出して拡大表示する。すなわち、回転処理でも、画像を回転させる処理が加わるが、前述した部分拡大処理と基本的に同じ処理を行う（Ｓ６０２〜Ｓ６０５）。
【実施例２】
【００６５】
図９には、本発明の実施例２であるプロジェクタと画像入力装置としてのデジタルスチルカメラ（撮像装置）の構成を示す。本実施例のプロジェクタ１００′は、実施例１で説明したプロジェクタ１００の構成要素のうち、ビデオ信号入力部１と、切替器１８と、第１の解像度変換部２と、操作部１２と、液晶パネル５と、投射レンズ６と、プログラムメモリ１６とを有する。また、本実施例のプロジェクタ１００′は、実施例１で説明したプロジェクタ１００の制御部１５のうち、画像解凍制御部１７を除いた制御部１５′を有する。
【００６６】
一方、本実施例のカメラ１０１は、実施例１で説明したプロジェクタ１００の構成要素のうち、画像データ入力部９と、画像解凍部１０と、第２の解像度変換部１１とを有する。さらに、カメラ１０１は、撮像部３０と、画像圧縮部３１とを有する。
【００６７】
撮像部３０は、撮像レンズにより形成された被写体像を光電変換するＣＣＤセンサやＣＭＯＳセンサ等の撮像素子と、撮像素子の出力から画像データ（ファイル形式のデータ）を生成する画像処理部（いずれも図示せず）等により構成されている。
【００６８】
画像圧縮部３１は、撮像部３０にて生成された画像データを圧縮処理して圧縮画像データを生成する。この圧縮画像データは、画像データ入力部９に入力され、画像解凍部１０で解凍され、ビデオ信号に変換される。このビデオ信号は、第２の解像度変換部１１に入力される。
【００６９】
カメラ１０１は、ケーブル２０（又は赤外線等を用いた無線通信）を介してプロジェクタ１００′に接続される。なお、プロジェクタ１００′内の電子ズーム制御部１４は、該ケープル２０を通じて第２の解像度変換部１１を制御する。
【００７０】
カメラ１０１内の第２の解像度変換部１１で電子ズーム処理がなされた所定の解像度を有するビデオ信号（画像データから変換されたビデオ信号：第３の信号）は、プロジェクタ１００′内の切替器１８と第１の解像度変換部２を介して液晶パネル５に出力される。
【００７１】
本実施例では、カメラ１０１によって生成された高解像度の画像データに対する電子ズーム処理をカメラ１０１内の第２の解像度変換部１１にて行う。これにより、画像データの解像度に対して実際にプロジェクタ１００′により投射表示される電子ズーム画像の解像度の低下を少なくすることができる。したがって、高解像度撮像が可能なカメラ１０１によって生成された画像データから得られる電子ズーム画像を高い画質で投射表示することができる。
【００７２】
なお、本実施例では、画像入力装置としてデジタルスチルカメラを用いた場合について説明したが、画像入力装置としては、ビデオカメラ、ＤＶＤ機器、パーソナルコンピュータ等の他の装置も用いることができる。
【００７３】
さらに、上記各実施例では、プロジェクタについて説明したが、本発明は、テレビやモニタ等の他の画像表示装置にも適用することができる。
【００７４】
以上説明した各実施例は代表的な例にすぎず、本発明の実施に際しては、各実施例に対して種々の変形や変更が可能である。
【図面の簡単な説明】
【００７５】
【図１】本発明の実施例１であるプロジェクタの構成を示すブロック図。
【図２】実施例１において圧縮画像データを表示する処理を示すフローチャート。
【図３】実施例１において電子ズーム倍率を２倍とした場合の電子ズーム処理を示すフローチャート。
【図４】実施例１のプロジェクタに設けられた操作部を示す図。
【図５】実施例１における電子ズーム操作に関わる処理を示すフローチャート。
【図６】実施例１におけるオーバースキャン処理を示すフローチャート。
【図７】実施例１における表示アスペクト比変換処理を示すフローチャート。
【図８】実施例１における回転処理を示すフローチャート。
【図９】本発明の実施例２であるプロジェクタとカメラの構成を示すブロック図。
【符号の説明】
【００７６】
１  ビデオ信号入力部
２  第１の解像度変換部
５  液晶パネル
６  投射レンズ
７  光源ランプ
９  画像データ入力部
１０  画像解凍部
１１  第２の解像度変換部
１２  操作部
１４  電子ズーム制御部
１５  制御部
１６  プログラムメモリ
１７  画像解凍制御部
１８  切替器
２０  ケーブル
３０  撮像部
３１  画像圧縮部
１００，１００′プロジェクタ
１０１  デジタルスチルカメラ
【図１】
2010118863.tif 000003
【図２】
2010118863.tif 000004
【図３】
2010118863.tif 000005
【図４】
2010118863.tif 000006
【図５】
2010118863.tif 000007
【図６】
2010118863.tif 000008
【図７】
2010118863.tif 000009
【図８】
2010118863.tif 000010
【図９】
2010118863.tif 000011